(57)【要約】【課題】記憶部に記憶されているデータの中から所望とする範囲内のデータを素早く簡単に切り替えて表示できるようにする。【解決手段】入力アナログデータをＡ／Ｄ変換して記憶部に記憶させたのち、そのデジタルデータを読み出して表示部に与えて表示画面にアナログデータの信号波形を再現して表示するにあたって、記憶部に記憶されている全データのうちの所定の表示範囲を指定する複数の表示範囲指定部（ノブ）２２１，２２２を備え、表示画面２１０に、信号波形が表示される波形表示部２１１に沿って全データ長に相当する長さを有するスクロールバー２１２を表示するとともに、スクロールバー２１２内に、各ノブ２２１，２２２に対応するノブマークＮＢ１，ＮＢ２を同時に表示し、操作部により選択された１つのノブマークＮＢをアクティブとしてスクロールバー２１２内で所定方向に移動可能とし、そのノブマークＮＢの位置に対応する表示範囲内のデータを波形表示部２１１に表示する。【選択図】図４ａ
2008267852.tif 000002
【特許請求の範囲】
【請求項１】
入力されるアナログデータをデジタルデータに変換して記憶部に記憶させたのち、上記記憶部より上記デジタルデータを読み出して表示部に与え、上記表示部の表示画面に上記アナログデータの信号波形を再現して表示する記録波形の表示方法において、
上記記憶部に記憶されている全データのうちの所定の表示範囲を指定する複数の表示範囲指定部を含む操作部を備え、上記表示画面に、上記信号波形が表示される波形表示部に沿って上記記憶部に記憶されている全データ長に相当する長さを有するスクロールバーを表示するとともに、上記スクロールバー内に、上記各表示範囲指定部に対応するノブマークを同時に表示し、上記操作部により選択された１つのノブマークをアクティブとして上記スクロールバー内で所定方向に移動可能とし、そのノブマークの位置に対応する表示範囲内のデータを上記波形表示部に表示することを特徴とする記録波形の表示方法。
【請求項２】
入力されるアナログデータをデジタルデータに変換するＡ／Ｄ変換機能を有する入力部と、上記入力部から出力される上記デジタルデータを記憶する記憶部と、表示画面を有する表示部と、所定の指示事項を入力する操作部と、上記操作部の指示事項に基づいて上記記憶部に対するデータの書き込み，読み出しを制御するとともに、上記記憶部より読み出したデータを上記表示部に与えて上記表示画面に上記アナログデータの信号波形を再現して表示させる制御手段とを含む記録波形の表示装置において、
上記表示画面には、少なくとも上記信号波形が表示される波形表示部と、上記記憶部に記憶されている全データ長に相当する長さを有するスクロールバーが表示されるスクロールバー表示部とが含まれ、
上記操作部には、上記記憶部に記憶されている全データのうちの所定の表示範囲を指定する複数の表示範囲指定部が含まれ、
上記制御手段は、上記スクロールバー内に上記各表示範囲指定部に対応するノブマークを同時に表示し、かつ、上記操作部からの指示に基づいて特定のノブマークをアクティブとして上記スクロールバー内で所定方向に移動可能にするとともに、上記記憶部から上記特定のノブマークの位置に対応する表示範囲内のデータを読み出して、その信号波形を上記波形表示部に表示することを特徴とする記録波形の表示装置。
【請求項３】
上記各表示範囲指定部には、表示倍率設定部が含まれていることを特徴とする請求項２に記載の記録波形の表示装置。
【請求項４】
上記制御手段は、上記表示画面の所定部位に上記記憶部に記憶されている全データ数と、上記波形表示部に表示されている上記信号波形の左端および右端のデータ位置とを表示することを特徴とする請求項２または３に記載の記録波形の表示装置。
【請求項５】
上記スクロールバーの両端に、上記ノブマークを時間軸方向に移動させる移動ボタンが表示されており、上記制御手段は、上記移動ボタンから入力される移動指令に基づいて、上記特定のノブマークを上記スクロールバー内で所定方向に移動させることを特徴とする請求項２ないし４のいずれか１項に記載の記録波形の表示装置。
【請求項６】
上記操作部には、上記ノブマークの同時移動指示部が設けられており、上記制御手段は、上記同時移動指示部がオンに設定された場合、上記複数のノブマークを同時に同方向かつ同距離移動させることを特徴とする請求項２ないし５のいずれか１項に記載の記録波形の表示装置。
【請求項７】
上記操作部には、上記各ノブマークに対応して複数の上記波形表示部を表示させる画面数設定部が設けられており、上記制御手段は、上記画面数設定部にて設定された数の上記波形表示部を上記表示画面内に用意するとともに、上記波形表示部の各々に上記各ノブマークの位置に対応する表示範囲内の信号波形を表示することを特徴とする請求項２ないし６のいずれか１項に記載の記録波形の表示装置。
【請求項８】
上記操作部によりアクティブとされた上記ノブマークおよび／または上記波形表示部は、非アクティブの表示態様と異なる表示態様で表示されることを特徴とする請求項７に記載の記録波形の表示装置。
【請求項９】
記憶部に記憶されている全データの一部が表示画面上に設定されているｍ行×ｎ列（ｍ，ｎは任意の整数）のマトリクス状をなすデータ表示部に表示されており、上記全データの中から所定範囲のデータを選択して上記データ表示部に表示するデータの選択的表示方法において、
上記データ表示部の行方向もしくは列方向の少なくとも一方の全長にわたってスクロールバーを表示するとともに、上記スクロールバー内に表示範囲を指定する複数のノブマークを同時に表示し、上記ノブマークの選択に伴って上記データ表示部の表示内容が切り替えられることを特徴とするデータの選択的表示方法。
【請求項１０】
上記データ表示部の行方向および列方向の各々に沿って、上記複数のノブマークを含む上記スクロールバーが表示されており、上記行方向スクロールバーおよび上記列方向スクロールバーの中から選択されたノブマークの交点部分のデータが上記データ表示部に表示されることを特徴とする請求項９に記載のデータの選択的表示方法。
【発明の詳細な説明】
【技術分野】
【０００１】
本発明は、記録波形の表示方法およびその装置並びにデータの選択的表示方法に関し、さらに詳しく言えば、記憶部に記憶されているデータの中から所望とする範囲内のデータを素早く簡単に切り替えて表示する技術に関するものである。
【背景技術】
【０００２】
波形記録装置においては、通常、アナログの被測定信号をＡ／Ｄ変換して記憶部に記憶させ、その後に記憶部からデータを読み出して表示画面に表示するようにしている。
【０００３】
その場合、表示画面の表示面積は限られているため、記憶部に記憶されているデータ量が多い場合、その全データを表示画面に表示すると波形全体が極端に圧縮されてしまい解析することが困難となる。
【０００４】
そこで、例えば特許文献１に記載の発明では、図１０に示すように、表示画面１内に、波形表示部２と、図示しない記憶部に記憶されている全データ長に相当する長さを有するスクロールバー３とを設定し、スクロールバー３内に表示範囲を指定するノブマーク（表示範囲マーク）４を表示させている。
【０００５】
これによれば、スクロールバー３の両端に配置されているダウンボタン３ａ，アップボタン３ｂに図示しない例えばマウスのポインタをあててクリックすることにより、ノブマーク４が時間軸方向に移動し、全データの中からノブマーク４の位置に対応する一部分のデータが読み出され、その信号波形が波形表示部２に拡大して表示される。
【０００６】
また、スクロールバー３内でのノブマーク４の位置により、表示されている信号波形が全データのどの部分に位置しているのかも容易に把握することができる。
【０００７】
【特許文献１】特開平７−２４３８７１号公報
【発明の開示】
【発明が解決しようとする課題】
【０００８】
しかしながら、上記従来技術では、ノブマーク４が１つしかないため、全データ中の複数の箇所の部分波形を切り替えて観測したい場合、その都度、ダウンボタン３ａ，アップボタン３ｂを操作してノブマーク４を移動させなければならず、その操作が煩わしい、という問題がある。
【０００９】
したがって、本発明の課題は、記憶部に記憶されているデータの中から所望とする範囲内のデータを素早く簡単に切り替えて表示できるようにすることにある。
【課題を解決するための手段】
【００１０】
上記課題を解決するため、請求項１に記載の発明は、入力されるアナログデータをデジタルデータに変換して記憶部に記憶させたのち、上記記憶部より上記デジタルデータを読み出して表示部に与え、上記表示部の表示画面に上記アナログデータの信号波形を再現して表示する記録波形の表示方法において、上記記憶部に記憶されている全データのうちの所定の表示範囲を指定する複数の表示範囲指定部を含む操作部を備え、上記表示画面に、上記信号波形が表示される波形表示部に沿って上記記憶部に記憶されている全データ長に相当する長さを有するスクロールバーを表示するとともに、上記スクロールバー内に、上記各表示範囲指定部に対応するノブマークを同時に表示し、上記操作部により選択された１つのノブマークをアクティブとして上記スクロールバー内で所定方向に移動可能とし、そのノブマークの位置に対応する表示範囲内のデータを上記波形表示部に表示することを特徴としている。
【００１１】
請求項２に記載の発明は、入力されるアナログデータをデジタルデータに変換するＡ／Ｄ変換機能を有する入力部と、上記入力部から出力される上記デジタルデータを記憶する記憶部と、表示画面を有する表示部と、所定の指示事項を入力する操作部と、上記操作部の指示事項に基づいて上記記憶部に対するデータの書き込み，読み出しを制御するとともに、上記記憶部より読み出したデータを上記表示部に与えて上記表示画面に上記アナログデータの信号波形を再現して表示させる制御手段とを含む記録波形の表示装置において、上記表示画面には、少なくとも上記信号波形が表示される波形表示部と、上記記憶部に記憶されている全データ長に相当する長さを有するスクロールバーが表示されるスクロールバー表示部とが含まれ、上記操作部には、上記記憶部に記憶されている全データのうちの所定の表示範囲を指定する複数の表示範囲指定部が含まれ、上記制御手段は、上記スクロールバー内に上記各表示範囲指定部に対応するノブマークを同時に表示し、かつ、上記操作部からの指示に基づいて特定のノブマークをアクティブとして上記スクロールバー内で所定方向に移動可能にするとともに、上記記憶部から上記特定のノブマークの位置に対応する表示範囲内のデータを読み出して、その信号波形を上記波形表示部に表示することを特徴としている。
【００１２】
請求項３に記載の発明は、上記請求項２の記録波形の表示装置において、上記各表示範囲指定部には、表示倍率設定部が含まれていることを特徴としている。
【００１３】
請求項４に記載の発明は、上記請求項２または３の記録波形の表示装置において、上記制御手段は、上記表示画面の所定部位に上記記憶部に記憶されている全データ数と、上記波形表示部に表示されている上記信号波形の左端および右端のデータ位置とを表示することを特徴としている。
【００１４】
請求項５に記載の発明は、上記請求項２ないし４のいずれか１項の記録波形の表示装置において、上記スクロールバーの両端に、上記ノブマークを時間軸方向に移動させる移動ボタンが表示されており、上記制御手段は、上記移動ボタンから入力される移動指令に基づいて、上記特定のノブマークを上記スクロールバー内で所定方向に移動させることを特徴としている。
【００１５】
請求項６に記載の発明は、上記請求項２ないし５のいずれか１項の記録波形の表示装置において、上記操作部には、上記ノブマークの同時移動指示部が設けられており、上記制御手段は、上記同時移動指示部がオンに設定された場合、上記複数のノブマークを同時に同方向かつ同距離移動させることを特徴としている。
【００１６】
請求項７に記載の発明は、上記請求項２ないし６のいずれか１項の記録波形の表示装置において、上記操作部には、上記各ノブマークに対応して複数の上記波形表示部を表示させる画面数設定部が設けられており、上記制御手段は、上記画面数設定部にて設定された数の上記波形表示部を上記表示画面内に用意するとともに、上記波形表示部の各々に上記各ノブマークの位置に対応する表示範囲内の信号波形を表示することを特徴としている。
【００１７】
請求項８に記載の発明は、上記請求項７の記録波形の表示装置において、上記操作部によりアクティブとされた上記ノブマークおよび／または上記波形表示部は、非アクティブの表示態様と異なる表示態様で表示されることを特徴としている。
【００１８】
請求項９に記載の発明は、記憶部に記憶されている全データの一部が表示画面上に設定されているｍ行×ｎ列（ｍ，ｎは任意の整数）のマトリクス状をなすデータ表示部に表示されており、上記全データの中から所定範囲のデータを選択して上記データ表示部に表示するデータの選択的表示方法において、上記データ表示部の行方向もしくは列方向の少なくとも一方の全長にわたってスクロールバーを表示するとともに、上記スクロールバー内に表示範囲を指定する複数のノブマークを同時に表示し、上記ノブマークの選択に伴って上記データ表示部の表示内容が切り替えられることを特徴としている。
【００１９】
請求項１０に記載の発明は、上記請求項９のデータの選択的表示方法において、上記データ表示部の行方向および列方向の各々に沿って、上記複数のノブマークを含む上記スクロールバーが表示されており、上記行方向スクロールバーおよび上記列方向スクロールバーの中から選択されたノブマークの交点部分のデータが上記データ表示部に表示されることを特徴としている。
【発明の効果】
【００２０】
請求項１および請求項２に記載の発明よれば、スクロールバー内に各表示範囲指定部に対応する複数のノブマークが同時に表示されているため、そのいずれか１つのノブマークをアクティブとすることにより、記憶部に記憶されているデータの中から所望とする範囲内のデータを素早く簡単に切り替えて表示することができる。
【００２１】
請求項３に記載の発明によれば、各表示範囲指定部には表示倍率設定部が含まれていることにより、選択された信号波形を任意の倍率で表示させることができる。
【００２２】
請求項４に記載の発明によれば、表示画面の所定部位に記憶部に記憶されている全データ数と、波形表示部に表示されている信号波形の左端および右端のデータ位置とが表示されるため、全体波形に対する現在表示されている信号波形の位置を正確に把握することができる。
【００２３】
請求項５に記載の発明によれば、スクロールバーの両端に、ノブマークを時間軸方向に移動させる移動ボタンが表示されているため、例えばパソコンが備えるマウスの操作で、アクティブとされている特定のノブマークをスクロールバー内で所定方向に容易に移動させることができる。
【００２４】
請求項６に記載の発明によれば、操作部には複数のノブマークを同時に同方向かつ同距離移動させる同時移動指示部が設けられていることにより、複数のノブマークを一定の間隔を保ちながら移動させることができるため、一定の時間間隔離れた波形同士を比較する場合に有用である。
【００２５】
請求項７に記載の発明によれば、各ノブマークに対応して複数の波形表示部が表示されるため、波形表示部の画面を切り替えることなく、複数の信号波形を同時に対比することができる。
【００２６】
請求項８に記載の発明によれば、アクティブとされたノブマークおよび／または波形表示部が非アクティブの表示態様と異なる表示態様で表示されるため、現在どの信号波形をスクロールできるかを一目で判別することができる。
【００２７】
請求項９に記載の発明によれば、記憶部に記憶されている全データの一部が表示画面上に設定されているｍ行×ｎ列（ｍ，ｎは任意の整数）のマトリクス状をなすデータ表示部に表示されており、全データの中から所定範囲のデータを選択してデータ表示部に表示するにあたって、スクロールバー内に表示されている複数のノブマークのいずれか１つをブックマーク的に選択するだけで、全データの中から所望とする範囲のデータを素早く表示させることができる。
【００２８】
また、請求項１０に記載の発明によれば、データ表示部の行方向および列方向の各々に沿って、複数のノブマークを含むスクロールバーが表示されるため、行方向スクロールバーおよび列方向スクロールバーの中から選択されたノブマークの交点部分のデータを素早く表示されることができる。
【発明を実施するための最良の形態】
【００２９】
次に、図１ないし図９により、本発明の実施形態について説明するが、本発明はこれに限定されるものではない。まず、図１を参照して、本発明で記録波形の表示を行う表示装置の構成について説明する。
【００３０】
この表示装置１００は、入出力端子として、入力端子１０１，ＬＡＮポート１０２およびＵＳＢポート１０３を備え、入力端子１０１より図示しない測定装置にて測定されたアナログの被測定信号が入力される。
【００３１】
入力端子１０１より入力される被測定信号は、Ａ／Ｄ変換器１１０にてデシタルデータに変換され、メモリ制御部１２０を介して主記憶部としてのストレージメモリ１３０に記憶される。この例において、メモリ制御部１２０には、ＦＰＧＡ（Ｆｉｌｅｌｄ  Ｐｒｏｇｒａｍｍａｂｌｅ  Ｇａｔｅ  Ａｒｒａｙ）が用いられている。
【００３２】
メモリ制御部１２０には操作部１４０が接続されており、操作部１４０からストレージメモリ１３０に対するデータの書き込み，読み出しに必要なメモリ制御情報がメモリ制御部１２０に与えられる。
【００３３】
また、操作部１４０から波形表示に必要な波形表示制御情報が入力されるが、この波形表示制御情報はメモリ制御部１２０を介して主制御部１５０に与えられる。なお、操作部１４０を主制御部１５０に接続し、メモリ制御情報を主制御部１５０からメモリ制御部１２０に与えるようにしてもよい。
【００３４】
主制御部１５０は、記憶デバイスとしてＲＡＭ１５１およびＲＯＭ１５２を備え、ＲＯＭ１５２には、当該表示装置１００を総括的に制御する基本プログラムや波形表示プログラムなどが格納されている。ＲＡＭ１５１はワークＲＡＭである。主制御部１５０には、ＣＰＵ（中央演算処理ユニット）やマイクロコンピュータなどが用いられてよい。
【００３５】
波形表示モード時、主制御部１５０は、ＲＯＭ１５２に格納されている波形表示プログラムおよび操作部１４０からの波形表示制御情報にしたがってストレージメモリ１３０からデータを読み出し、そのデータを表示制御部１６１に与えて表示部１６０に上記被測定信号の信号波形を表示する。
【００３６】
また、この表示装置１００は、主制御部１５０のインターフェイスとしてＬＡＮ（Ｌｏｃａｌ  Ａｒｅａ  Ｎｅｔｗｏｒｋ）コントローラ１７１と、ＵＳＢ（Ｕｎｉｖｅｒｓａｌ  Ｓｅｒｉａｌ  Ｂｕｓ）コントローラ１７２とを備えている。
【００３７】
この表示装置１００は、それ自体が備える表示部１６０で上記被測定信号の信号波形を表示することができるほかに、図１に示すように、例えばＵＳＢポート１０３に外部機器としてのパソコン２００を接続し、パソコン２００で波形表示を行うこともできる。
【００３８】
表示波形データは表示装置１００から供給されるが、本発明で実行される波形表示プログラムは、コンパクトディスクなどの情報記録媒体よりパソコン２００のハードディスク装置２０１にインストールされ、以後の制御はパソコン２００内の制御部で行われる。また、表示に必要な操作はパソコン２００のキーボート２０２や図示しないマウスにより行われる。
【００３９】
次に、図２により、表示画面の構成例について説明する。この画面構成は、表示装置１００の表示部１６０の場合でも、パソコン２００のディスプレイ２０３の場合でも同じであるため、ここではパソコン２００のディスプレイ２０３の場合を例として説明する。
【００４０】
ディスプレイ２０３の表示画面２１０には、基本的な構成として、上記被測定信号の信号波形を表示する波形表示部２１１と、スクロールバー２１２を表示するスクロールバー表示部とが設けられる。
【００４１】
この例において、スクロールバー２１２は波形表示部２１１の下辺の時間軸方向に沿って細長く表示され、その長さはストレージメモリ１３０に記憶されている全データ（総データ）長を表している。
【００４２】
波形データの把握を容易とするため、スクロールバー２１２の下辺中央には、ストレージメモリ１３０に記憶されている全データ数を数値で示す全データ数表示部２１３が設けられ、また、波形表示部２１１の両側には、現在表示されている信号波形の左端データ位置と右端データ位置とをそれぞれ数値で示す端部データ位置表示部２１４，２１５が設けられる。
【００４３】
スクロールバー２１２内には、信号波形の表示範囲を示す後述するノブマークが表示されるが、そのノブマークをマウス操作で時間軸方向に移動可能とするため、スクロールバー２１２の左端にはダウン（後進）用の移動ボタン２１６ｄが設けられ、右端にはアップ（前進）用の移動ボタン２１６ｕが設けられる。
【００４４】
なお、全データ数表示部２１３，端部データ位置表示部２１４，２１５および移動ボタン２１６ｄ，２１６ｕは、それぞれ図２に示されている位置に設けられることが好ましいが、例えば表示面積などとの関係で適宜その位置は変更されてもよい。
【００４５】
また、表示画面２１０には、マウスにより操作される画面上の操作部として、表示範囲指定部２２０，画面数設定部２３０，測定開始ボタン２４１および測定停止ボタン２４２が設けられる。
【００４６】
表示範囲指定部２２０は、ストレージメモリ１３０に記憶されている全データのうちの所定の表示範囲を指定する部分であるが、本発明では、その表示指定箇所を複数箇所（この例では２箇所）とするため、表示範囲指定部２２０として、第１表示範囲指定部２２１と第２表示範囲指定部２２２の２つの表示範囲指定部を備える。この実施形態の説明において、表示範囲指定部を「ノブ」ということがある。
【００４７】
第１ノブ２２１と第２ノブ２２２には、それぞれ表示倍率設定部２２１ａ，２２２ａが付設されている。この表示倍率設定部２２１ａ，２２２ａにより、各ノブ２２１，２２２にて指定された表示範囲の信号波形を任意の倍率で波形表示部２１１に表示することができる。
【００４８】
画面数設定部２３０は、波形表示部２１１内の表示領域を分割するために用いられる。画面数設定部２３０が「１」に設定されている場合１画面であるが、「２」に設定すると後述するように波形表示部２１１が２画面に分割される。
【００４９】
次に、図３ａ〜図３ｆにより、波形データの取り込み開始から終了までの表示画面の変遷について説明する。
【００５０】
なお、この実施形態では第１，第２の２つのノブ２２１，２２２が設けられているため、スクロールバー２１２内には、例えば図３ｆに示すように、その各々に対応した第１，第２ノブマークＮＢ１，ＮＢ２が現れるが、マウスによりクリック（選択）された方のノブおよびノブマークがハイライト表示（強調表示）もしくは特定の着色表示とされ、この状態をアクティブと呼ぶ。ノブマークはスクロールマークもしくはバーマークと呼ばれてもよい。なお、２つのノブマークＮＢ１，ＮＢ２を特に区別する必要がない場合には、その総括参照符号としてＮＢを用いる。
【００５１】
図３ａは波形データの取り込み前の初期画面である。波形表示部２１１には何も表示されておらず、スクロールバー２１２内のノブマークＮＢも、スクロールバー２１２の左右一杯までフルスケール状態で表示されている。
【００５２】
この例では、第１ノブ２２１がアクティブとされているため、スクロールバー２１２に現れているノブマークＮＢは第１ノブマークＮＢ１で、第２ノブマークＮＢ２はその裏に隠されている。また、この例において、波形表示部２１１に表示可能なデータ数は１０００個である。
【００５３】
図３ｂに示すように、マウスで測定開始ボタン２４１をクリックすると、波形データの取り込みが開始され、その取り込みの進行に伴って波形表示部２１１に被測定信号の信号波形Ｗが表示される。
【００５４】
図３ｂは５００個の波形データが取り込まれた状態を示し、信号波形Ｗが波形表示部２１１の右端に達するまで、すなわち、取り込みデータ数が１０００に達するまでは、スクロールバー２１２は図３ａの初期状態のままである。
【００５５】
図３ｃはデータの取り込みが進行し、そのデータ数が波形表示部２１１に表示できるデータ数の２倍の２０００個に達したときの状態を示している。このときのスクロールバー２１２の左右の長さＡは、これまでに取り込まれたデータ数（２０００個）に対応し、第１ノブマークＮＢ１の長さＢは、現在表示されているデータ数（１０００個）に対応している。
【００５６】
なお、データ取り込み中は常に最新の信号波形Ｗを表示するため、取り込みデータ数が１０００を超えた時点で、第１ノブマークＮＢ１およびその裏に隠されている第２ノブマークＮＢ２ともにスクロールバー２１２の右端側に張り付いた状態となる。
【００５７】
図３ｄは取り込みデータ数が波形表示部２１１に表示できるデータ数の５倍の５０００個に達した時点で、測定停止ボタン２４２をマウスでクリックしてデータの取り込みを終了したときの状態を示している。第１ノブマークＮＢ１の長さは、スクロールバー２１２全体の長さの１／５となっている。
【００５８】
データの取り込み終了後、図３ｅに示すように、マウスのポインタを第１ノブマークＮＢ１の部分にもっていきドラックしてスクロールバー２１２の左端側に移動させると、図３ｆに示すように、その移動後の第１ノブマークＮＢ１の位置（この例では５００〜１５００の範囲）に対応する信号波形Ｗａが表示され、また、これまで第１ノブマークＮＢ１の裏に隠されていた第２ノブマークＮＢ２がスクロールバー２１２に姿を現す。
【００５９】
このようにして、アクティブとされている第１ノブマークＮＢ１を移動させることにより、所望とする部分の信号波形Ｗが波形表示部２１１に表示されるが、図４ａに示すように、マウスにて第２ノブマークＮＢ２（もしくは第２ノブ２２２）をクリックすると、図４ｂに示すように、第２ノブマークＮＢ２がアクティブとなり、第２ノブマークＮＢ２の位置（この例では４０００〜５０００の範囲）に対応する信号波形Ｗｂが表示される。
【００６０】
このように、本発明によれば、第１ノブマークＮＢ１と第２ノブマークＮＢ２のいずれかをアクティブとすることにより、第１ノブマークＮＢ１による信号波形Ｗａと第２ノブマークＮＢ２による信号波形Ｗｂとを瞬時に切り替えることができる。
【００６１】
次に、図５ａおよび図５ｂにより、ノブマークＮＢの移動について説明する。図５ａに示すように、ダウン（後進）用の移動ボタン２１６ｄもしくはアップ（前進）用の移動ボタン２１６ｕをマウスでクリックすることにより、基本的にはアクティブとされているノブマークＮＢ（この例では第２ノブマークＮＢ２）のみが時間軸方向に移動する。
【００６２】
アクティブとされている方のノブマークＮＢをスクロールバー２１２内で自由に移動させることができる。例えば、第１ノブマークＮＢ１が非アクティブとしてスクロールバー２１２の中央部分に位置し、第２ノブマークＮＢ２がアクティブとしてスクロールバー２１２の右端側に位置している場合、その第２ノブマークＮＢ２を第１ノブマークＮＢ１を通り越してスクロールバー２１２の左端側位置に移動させることもできる。
【００６３】
また、第２ノブマークＮＢ２の一部もしくは全部が第１ノブマークＮＢ１と重なるように移動させることもできる。なお、移動ボタン２１６ｄ，２１６ｕによることなく、マウスのドラック操作により、ノブマークＮＢを移動させることも可能である。
【００６４】
図５ｂは各ノブマークＮＢ１，ＮＢ２を同時に連動して移動させる場合の例を示している。この場合には、表示画面２１０のマウスにより操作される画面上の操作部に、同時移動指示部２５０が設けられる。
【００６５】
この同時移動指示部２５０が例えばマウス操作にてオンにされた状態で、移動ボタン２１６ｄ，２１６ｕのいずれかがクリックされると、２つのノブマークＮＢ１，ＮＢ２が同時に同方向かつ同距離移動する。この同時移動指示部２５０は、一定の時間間隔離れた信号波形同士を比較する場合に有用である。
【００６６】
次に、図６ａ〜図６ｃにより、信号波形の表示倍率の変更について説明する。図６ａは各ノブ２２１，２２２ともに表示倍率が「×１」のときの状態を示しているが、各ノブ２２１，２２２に付設されている表示倍率設定部２２１ａ，２２２ａを操作することにより、波形表示部２１１に表示される信号波形Ｗの表示倍率を変更することができる。
【００６７】
例えば、第２ノブ２２２の表示倍率を変更する場合には、第２ノブ２２２をアクティブとしてうえで、その表示倍率設定部２２２ａのカウント矢印をクリックして、図６ｂに示すように、第２ノブ２２２の表示倍率を例えば「×１／２」とする。
【００６８】
これにより、それまで波形表示部２１１に表示倍率「×１」として表示されていた４０００〜５０００の範囲の信号波形Ｗに代えて、３０００〜５０００の範囲の信号波形Ｗｃが圧縮して表示され、また、第２ノブマークＮＢ２の長さも３０００〜５０００の範囲に対応して長くなる。
【００６９】
また、表示倍率設定部２２２ａのカウント矢印をクリックして、図６ｃに示すように、第２ノブ２２２の表示倍率を例えば「×２」とすると、波形表示部２１１に４５００〜５０００の範囲の信号波形ＷＤが拡大して表示され、また、第２ノブマークＮＢ２の長さも４５００〜５０００の範囲に対応して短くなる。
【００７０】
次に、図７ａ〜図７ｃにより、表示画面数の変更について説明する。上記実施形態では波形表示部２１２を１画面としているが、本発明によれば、波形表示部２１２の画面数をスクロールバー２１２に表示されるノブマークＮＢの数だけ用意することができる。
【００７１】
これを行うには、図７ａに示すように、表示画面数設定部２３０のカウント矢印をクリックして、そのカウント値を「２」とする。これにより、図７ｂに示すように、波形表示部２１１が分割され２つの画面２１１ａ，２１１ｂが現れる。
【００７２】
この場合、左側の画面２１１ａがスクロールバー２１２に表示されている左側の第１ノブマークＮＢ１用の波形表示部で、右側の画面２１１ｂが第２ノブマークＮＢ２用の波形表示部であり、その各々に第１ノブマークＮＢ１にて指定された信号波形Ｗａと、第２ノブマークＮＢ２にて指定された信号波形Ｗｂとが表示される。
【００７３】
また、各画面２１１ａ，２１１ｂの両側に、現在表示されている信号波形Ｗａ，Ｗｂの左端データ位置と右端データ位置とが表示される。これにより、この例では一方の画面２１１ａの信号波形Ｗａは５００〜１０００の範囲の波形で、他方の画面２１１ｂの信号波形Ｗｂは４０００〜５０００の範囲の波形であることが分かる。
【００７４】
このように、波形表示部２１１を２画面２１１ａ，２１１ｂとすることにより、スクロールバー２１２内のノブマークＮＢ１，ＮＢ２を見るだけで、信号波形Ｗａ，Ｗｂの互いの位置関係を直感的に把握することが可能となる。
【００７５】
なお、現在アクティブになっている側の表示画面は、例えば表示枠をハイライト表示もしくは太線表示するなどして、アクティブであることが容易に認識し得るようにすることが好ましい。
【００７６】
また、図７ｃに示すように、各波形表示部２１１ａ，２１１ｂの表示倍率を変更することもできる。図７ｃは、第１ノブ２２１側が倍率「×２」に設定され、第２ノブ２２２側が倍率「×１／２」に設定されており、一方の画面２１１ａには拡大波形Ｗｄが、また、他方の画面２１１ｂには圧縮波形Ｗｃが表示されている状態を示している。
【００７７】
先にも説明したように、第１ノブ２２１，第２ノブ２２２のいずれかをアクティブとするには、そのノブの部分もしくはスクロールバー２１２内のノブマークＮＢをクリックすることにより行われるが、波形表示部２１１を複数画面，この例では２画面２１１ａ，２１１ｂとする場合、その画面を直接クリックすることによっても、アクティブとすることができる。
【００７８】
一例として、図８ａに示すように、第２ノブ２２２側の画面２１１ｂがアクティブとされている状態で、非アクティブの第１ノブ２２１側の画面２１１ａをクリックすることにより、図８ｂに示すように、第１ノブ２２１側の画面２１１ａがアクティブとなり、第２ノブ２２２側の画面２１１ｂが非アクティブとなる。
【００７９】
上記の実施形態はいずれも記録波形の表示についてのものであるが、本発明は、例えばテキスト文書やエクセル表形式などのように、表示画面上に複数のデータがｍ行×ｎ列（ｍ，ｎは任意の整数）のマトリクス状をなすデータ表示部に表示されており、そのデータ表示部の中から所定のデータを選択して表示する場合にも適用できる。この別の実施形態を図９により説明する。
【００８０】
図９に示すデータ表示部２６０は、例えば上記実施形態における表示画面２１０内の波形表示部２１１の部分に表示される。表示画面２１０の他の構成は図２と同じであってよい。すなわち、この別の実施形態においても、少なくとも第１，第２の２つのノブ２２１，２２２およびスクロールバー２１２を備え、スクロールバー２１２内には２つのノブマークＮＢ１，ＮＢ２が表示される。
【００８１】
図９の例において、データ表示部２６０は１２行×３列の表形式とされているが、このうちの最上行は項目記載欄、最下行は例えばデータ集計欄であるため、実際のデータ表示領域は１０行×３列である。
【００８２】
これに対して、図示しない記憶部には、例えば全データが５０行×３列として記憶されており、したがって、データ表示部２６０に表示されるのは、全データのうちの１／５である。
【００８３】
全データの中から所望とする範囲のデータを素早く表示可能とするため、この例では、スクロールバー２１２をデータ表示部２６０の脇に列方向に沿って縦スクロールバーとして配置する。この場合、縦スクロールバー２１２の長さＡは５０行分である。
【００８４】
そして、縦スクロールバー２１２内に、第１ノブ２２１のノブマークＮＢ１と第２ノブ２２２のノブマークＮＢ２とを表示する。この例において、各ノブマークＮＢ１，ＮＢ２の長さＢは１０行分である。
【００８５】
また、各ノブマークＮＢは、上記実施形態と同じく、いずれか一方をアクティブとして、アップ用の移動ボタン２１６ｕ，ダウン用の移動ボタン２１６ｄをクリックするか、もしくはマウスのドラック操作により移動させることができる。
【００８６】
図９において、ノブマークＮＢ１側がアクティブとされており、これによりデータ表示部２６０には１〜１０行目までの範囲が表示されているが、ノブマークＮＢ２側をアクティブとすることにより、例えば３１〜４０行目までの範囲が表示される。
【００８７】
このように、スクロールバー内に複数のノブマークを表示し、そのいずれか１つをクリックすることにより、いちいちノブマークを移動させることなく、表示範囲を切り替えることができる。すなわち、ノブマークをブックマーク的に扱うことができる。
【００８８】
また、上記縦スクロールバー２１２に加えて、データ表示部２６０の例えば下に図示しない横スクロールバーを行方向に沿って配置して、その横スクロールバー内には少なくとも１つのノブマークを表示させるようにしてもよい。
【００８９】
これによれば、縦スクロールバー２１２と上記横スクロールバーのそれぞれアクティブとされているノブマークの交点部分の範囲のデータを素早くデータ表示部２６０に表示させることができる。
【００９０】
以上、本発明の各実施形態について説明したが、本発明はこれに限定されるものではない。上記実施形態では、外部機器としてのパソコン２００のディスプレイ２０３上で波形表示，データ表示を行わせているが、表示装置１００が備える表示部１６０で表示させてもよいことはもちろんである。
【００９１】
また、上記実施形態では、もっぱらパソコン２００のマウスで各種の操作を行うようにしているが、パソコン２００のキーボード２０２や表示装置１００の操作部１４０を利用してもよい。
【図面の簡単な説明】
【００９２】
【図１】本発明で記録波形の表示を行う表示装置の構成を示す模式図。
【図２】表示画面の基本的な構成を示す模式図。
【図３ａ】起動時の初期画面を示す模式図。
【図３ｂ】波形データの取り込みが開始時の画面状態を示す模式図。
【図３ｃ】波形データの取り込み中の画面状態を示す模式図。
【図３ｄ】波形データの取り込み終了時の画面状態を示す模式図。
【図３ｅ】ノブマークを移動させる際の画面状態を示す説明図。
【図３ｆ】ノブマークの移動後における画面状態を示す模式図。
【図４ａ】ノブマークのいずれか１つをアクティブとする操作説明図。
【図４ｂ】ノブマークのいずれか１つをアクティブとする操作説明図。
【図５ａ】ノブマークを移動させる操作説明図。
【図５ｂ】２つのノブマークを同時に移動させる操作説明図。
【図６ａ】表示倍率を変更する操作説明図。
【図６ｂ】圧縮された信号波形が表示された画面状態を示す模式図。
【図６ｃ】拡大された信号波形が表示された画面状態を示す模式図。
【図７ａ】表示画面数を変更する操作説明図。
【図７ｂ】波形表示部が２分割された画面状態を示す模式図。
【図７ｃ】波形表示部が２分割され、その各画面に圧縮波形と拡大波形が表示された画面状態を示す模式図。
【図８ａ】波形表示部が２分割された際のいずれか一方の画面をアクティブとする操作説明図。
【図８ｂ】波形表示部が２分割された際のいずれか他方の画面をアクティブとする操作説明図。
【図９】本発明の別の実施形態を示す模式図。
【図１０】従来の表示画面を示す模式図。
【符号の説明】
【００９３】
１００  表示装置
１１０  Ａ／Ｄ変換器
１２０  メモリ制御部
１３０  スシレージメモリ
１４０  操作部
１５０  主制御部
１６０  表示部
２００  パソコン
２１０  表示画面
２１１  波形表示部
２１２  スクロールバー
２１３  全データ数表示部
２１４，２１５  端部データ位置表示部
２１６ｄ，２１６ｕ  移動ボタン
２２０  表示範囲指定部（ノブ）
２２１  第１ノブ
２２２  第２ノブ
２２１ａ，２２２ａ  表示倍率設定部
２３０  表示画面数設定部
２４１  測定開始ボタン
２４２  測定停止ボタン
２５０  同時移動ボタン
ＮＢ  ノブマーク
【図１】
2008267852.tif 000003
【図２】
2008267852.tif 000004
【図３ａ】
2008267852.tif 000005
【図３ｂ】
2008267852.tif 000006
【図３ｃ】
2008267852.tif 000007
【図３ｄ】
2008267852.tif 000008
【図３ｅ】
2008267852.tif 000009
【図３ｆ】
2008267852.tif 000010
【図４ａ】
2008267852.tif 000011
【図４ｂ】
2008267852.tif 000012
【図５ａ】
2008267852.tif 000013
【図５ｂ】
2008267852.tif 000014
【図６ａ】
2008267852.tif 000015
【図６ｂ】
2008267852.tif 000016
【図６ｃ】
2008267852.tif 000017
【図７ａ】
2008267852.tif 000018
【図７ｂ】
2008267852.tif 000019
【図７ｃ】
2008267852.tif 000020
【図８ａ】
2008267852.tif 000021
【図８ｂ】
2008267852.tif 000022
【図９】
2008267852.tif 000023
【図１０】
2008267852.tif 000024